(57)【要約】【課題】テレビジョンモニタ等の外部装置が接続されるビデオ信号出力端子を有する機器において、外部装置がビデオ信号出力端子に接続されていないときに、ＤＡＣや増幅回路における不要な消費電力を削減する。【解決手段】このビデオ信号出力制御回路は、ディジタル／アナログ変換回路と、アナログビデオ信号を増幅する増幅回路と、ビデオ信号出力端子と、増幅回路とビデオ信号出力端子との間に設けられた出力抵抗と、出力抵抗を通過したアナログビデオ信号をディジタルビデオ信号に変換するアナログ／ディジタル変換回路と、アナログ／ディジタル変換回路から出力されるビデオ信号のレベルに基づいて、ビデオ信号出力端子に外部装置が接続されているか否かを判定し、外部装置が接続されていない場合にディジタル／アナログ変換回路及び増幅回路の動作を停止させる制御手段とを具備する。【選択図】図１
2008118503.tif 000002
【特許請求の範囲】
【請求項１】
外部回路から供給されるディジタルビデオ信号を処理して出力するエンコーダ回路と、
前記エンコーダ回路から出力されるディジタルビデオ信号をアナログビデオ信号に変換するディジタル／アナログ変換回路と、
前記ディジタル／アナログ変換回路から出力されるアナログビデオ信号を増幅する増幅回路と、
前記増幅回路によって増幅されたアナログビデオ信号を外部装置に出力するためのビデオ信号出力端子と、
前記増幅回路と前記ビデオ信号出力端子との間に設けられた出力抵抗と、
前記出力抵抗を通過したアナログビデオ信号をディジタルビデオ信号に変換するアナログ／ディジタル変換回路と、
前記アナログ／ディジタル変換回路から出力されるビデオ信号のレベルに基づいて、前記ビデオ信号出力端子に外部装置が接続されているか否かを判定し、前記ビデオ信号出力端子に外部装置が接続されていない場合に、少なくとも前記ディジタル／アナログ変換回路及び前記増幅回路の動作を停止させる制御手段と、
を具備するビデオ信号出力制御回路。
【請求項２】
外部回路から供給されるディジタルビデオ信号を処理して出力するエンコーダ回路と、
前記エンコーダ回路から出力されるディジタルビデオ信号をアナログビデオ信号に変換するディジタル／アナログ変換回路と、
前記ディジタル／アナログ変換回路から出力されるアナログビデオ信号を増幅する増幅回路と、
前記増幅回路によって増幅されたアナログビデオ信号を外部装置に出力するためのビデオ信号出力端子と、
前記増幅回路と前記ビデオ信号出力端子との間に設けられた出力抵抗と、
前記増幅回路から出力されるアナログビデオ信号の電圧と前記出力抵抗を通過したアナログビデオ信号の電圧とを比較する比較回路と、
前記比較回路の比較結果に基づいて、前記ビデオ信号出力端子に外部装置が接続されているか否かを判定し、前記ビデオ信号出力端子に外部装置が接続されていない場合に、少なくとも前記ディジタル／アナログ変換回路及び前記増幅回路の動作を停止させる制御手段と、
を具備するビデオ信号出力制御回路。
【請求項３】
前記制御手段が、電源投入後の所定の期間において、ビデオ信号を前記エンコーダ回路に供給するように前記外部回路を制御して、前記ビデオ信号出力端子に外部装置が接続されているか否かを判定する、請求項１又は２記載のビデオ信号出力制御回路。
【請求項４】
前記エンコーダ回路が、測定用のビデオ信号を生成する機能を有し、前記制御手段が、電源投入後の所定の期間において、測定用のビデオ信号を出力するように前記エンコーダ回路を制御して、前記ビデオ信号出力端子に外部装置が接続されているか否かを判定する、請求項１又は２記載のビデオ信号出力制御回路。
【請求項５】
前記増幅回路から前記ビデオ信号出力端子にアナログビデオ信号が供給されていないときに、前記アナログ／ディジタル変換回路が、前記ビデオ信号出力端子から前記出力抵抗に印加されるノイズの電圧をディジタル信号に変換し、前記制御手段が、前記アナログ／ディジタル変換回路から出力されるディジタル信号のレベルに基づいて、ビデオ信号を前記エンコーダ回路に供給するように前記外部回路を制御して、前記ビデオ信号出力端子に外部装置が接続されているか否かを判定する、請求項１記載のビデオ信号出力制御回路。
【請求項６】
前記増幅回路から前記ビデオ信号出力端子にアナログビデオ信号が供給されていないときに、前記比較回路が、前記ビデオ信号出力端子から前記出力抵抗に印加されるノイズの電圧と前記出力抵抗を通過したノイズの電圧とを比較し、前記制御手段が、前記比較回路の検出結果に基づいて、ビデオ信号を前記エンコーダ回路に供給するように前記外部回路を制御して、前記ビデオ信号出力端子に外部装置が接続されているか否かを判定する、請求項２記載のビデオ信号出力制御回路。
【発明の詳細な説明】
【技術分野】
【０００１】
本発明は、ディジタルビデオ信号をアナログビデオ信号に変換してテレビジョンモニタ等に出力するビデオ信号出力制御回路に関する。
【背景技術】
【０００２】
例えば、ＰＤＡ（personal digital assistance：個人用携帯情報端末）等の情報機器においては、画像情報をディジタル処理することが行われており、内蔵の液晶表示パネルに画像が表示される。さらに、大きな画面で画像を表示するために、ビデオ信号をテレビジョンモニタに出力することも考えられる。そのために、テレビジョンモニタ等の外部装置を接続するためのビデオ信号出力端子を有している機種がある。このような情報機器においては、ディジタルビデオ信号がＤＡＣ（ディジタル／アナログ変換回路）によってアナログビデオ信号に変換され、アナログビデオ信号がビデオ信号出力回路（増幅回路を含む）によってテレビジョンモニタに出力される。
【０００３】
しかしながら、常にテレビジョンモニタがビデオ信号出力端子に接続されているとは限らないので、テレビジョンモニタがビデオ信号出力端子に接続されていないときには、ＤＡＣや増幅回路が無駄に動作して、不要な消費電力が生じてしまうという問題があった。特に、バッテリーによって駆動される機器においては、このような不必要な消費電力を削減することが望まれる。
【０００４】
関連する技術として、下記の特許文献１には、表示対象の表示装置に応じてＲＡＭ及びＤＡＣそれぞれをパワーダウン制御し、表示制御装置の低消費電力化を図ることが記載されている。この表示制御装置は、ホストシステムから与えられるディスプレイモード情報に基づいて、表示制御対象のディスプレイがＣＲＴディスプレイ、カラーフラットパネルディスプレイ、モノクロフラットパネルディスプレイのいずれであるかを判別するディスプレイモード判別手段と、このディスプレイモード判別手段による判別結果に従って、カラーパレットＲＡＭをディスエーブルするための第１のパワーダウン信号及びＤＡＣをディスエーブルするための第２のパワーダウン信号を選択的に発生して、カラーパレットＲＡＭ及びＤＡＣをパワーダウン制御するパワーダウン信号発生手段とを具備する。
【０００５】
しかしながら、この表示制御装置は、パーソナルコンピュータにおけるディスプレイ制御を目的としたものであり、ホストシステムからディスプレイモード情報が与えられることを前提としているので、テレビジョンモニタ等の外部装置が接続されているか否かについての接続情報が与えられないＰＤＡ等の機器に適用することはできない。
【特許文献１】特開平６−１６７９５７号公報（第１〜２頁、図１）
【発明の開示】
【発明が解決しようとする課題】
【０００６】
そこで、上記の点に鑑み、本発明は、テレビジョンモニタ等の外部装置が接続されるビデオ信号出力端子を有する機器において、外部装置がビデオ信号出力端子に接続されていないときにＤＡＣや増幅回路における不要な消費電力を削減することができるビデオ信号出力制御回路を提供することを目的とする。
【課題を解決するための手段】
【０００７】
以上の課題を解決するため、本発明の第１の観点に係るビデオ信号出力制御回路は、外部回路から供給されるディジタルビデオ信号を処理して出力するエンコーダ回路と、エンコーダ回路から出力されるディジタルビデオ信号をアナログビデオ信号に変換するディジタル／アナログ変換回路と、ディジタル／アナログ変換回路から出力されるアナログビデオ信号を増幅する増幅回路と、増幅回路によって増幅されたアナログビデオ信号を外部装置に出力するためのビデオ信号出力端子と、増幅回路とビデオ信号出力端子との間に設けられた出力抵抗と、出力抵抗を通過したアナログビデオ信号をディジタルビデオ信号に変換するアナログ／ディジタル変換回路と、アナログ／ディジタル変換回路から出力されるビデオ信号のレベルに基づいて、ビデオ信号出力端子に外部装置が接続されているか否かを判定し、ビデオ信号出力端子に外部装置が接続されていない場合に、少なくともディジタル／アナログ変換回路及び増幅回路の動作を停止させる制御手段とを具備する。
【０００８】
本発明の第２の観点に係るビデオ信号出力制御回路は、外部回路から供給されるディジタルビデオ信号を処理して出力するエンコーダ回路と、エンコーダ回路から出力されるディジタルビデオ信号をアナログビデオ信号に変換するディジタル／アナログ変換回路と、ディジタル／アナログ変換回路から出力されるアナログビデオ信号を増幅する増幅回路と、増幅回路によって増幅されたアナログビデオ信号を外部装置に出力するためのビデオ信号出力端子と、増幅回路とビデオ信号出力端子との間に設けられた出力抵抗と、増幅回路から出力されるアナログビデオ信号の電圧と出力抵抗を通過したアナログビデオ信号の電圧とを比較する比較回路と、比較回路の比較結果に基づいて、ビデオ信号出力端子に外部装置が接続されているか否かを判定し、ビデオ信号出力端子に外部装置が接続されていない場合に、少なくともディジタル／アナログ変換回路及び増幅回路の動作を停止させる制御手段とを具備する。
【０００９】
以上において、制御手段が、電源投入後の所定の期間において、ビデオ信号をエンコーダ回路に供給するように外部回路を制御して、ビデオ信号出力端子に外部装置が接続されているか否かを判定するようにしても良い。あるいは、エンコーダ回路が、測定用のビデオ信号を生成する機能を有し、制御手段が、電源投入後の所定の期間において、測定用のビデオ信号を出力するようにエンコーダ回路を制御して、ビデオ信号出力端子に外部装置が接続されているか否かを判定するようにしても良い。
【００１０】
さらに、本発明の第１の観点に係るビデオ信号出力制御回路において、増幅回路からビデオ信号出力端子にアナログビデオ信号が供給されていないときに、アナログ／ディジタル変換回路が、ビデオ信号出力端子から出力抵抗に印加されるノイズの電圧をディジタル信号に変換し、制御手段が、アナログ／ディジタル変換回路から出力されるディジタル信号のレベルに基づいて、ビデオ信号をエンコーダ回路に供給するように外部回路を制御して、ビデオ信号出力端子に外部装置が接続されているか否かを判定するようにしても良い。
【００１１】
また、本発明の第２の観点に係るビデオ信号出力制御回路において、増幅回路からビデオ信号出力端子にアナログビデオ信号が供給されていないときに、比較回路が、ビデオ信号出力端子から出力抵抗に印加されるノイズの電圧と出力抵抗を通過したノイズの電圧とを比較し、制御手段が、比較回路の検出結果に基づいて、ビデオ信号をエンコーダ回路に供給するように外部回路を制御して、ビデオ信号出力端子に外部装置が接続されているか否かを判定するようにしても良い。
【発明の効果】
【００１２】
本発明によれば、アナログ／ディジタル変換回路から出力されるビデオ信号のレベルに基づいて、又は、比較回路によって検出される出力抵抗における電圧降下に基づいて、制御手段がビデオ信号出力端子に外部装置が接続されているか否かを判定することにより、外部装置がビデオ信号出力端子に接続されていないときにＤＡＣや増幅回路における不要な消費電力を削減することができる。
【発明を実施するための最良の形態】
【００１３】
以下、本発明を実施するための最良の形態について、図面を参照しながら詳しく説明する。なお、同一の構成要素には同一の参照番号を付して、説明を省略する。
図１は、本発明の第１の実施形態に係るビデオ信号出力制御回路を含む構成を示す図である。このビデオ信号出力制御回路は、ＰＤＡやディジタルビデオムービーのように、ディジタルビデオ信号をアナログビデオ信号に変換してテレビジョンモニタ等の外部装置に出力することが可能な機器において用いられるものであり、特に、バッテリーによって駆動される機器において効果を奏する。ビデオ信号出力制御回路から出力されるビデオ信号は、ＮＴＳＣ方式、ＰＡＬ方式、又は、ＳＥＣＡＭ方式等のコンポジットビデオ信号である。
【００１４】
図１に示すように、ビデオ信号出力制御回路は、外部回路１から供給されるディジタルビデオ信号に対して各種の処理を施して外部回路２に出力すると共に、ディジタルビデオ信号をアナログビデオ信号に変換して出力する半導体集積回路１０と、半導体集積回路１０の出力電流を電圧に変換する外付けの変換抵抗Ｒ０と、半導体集積回路１０から出力されるアナログビデオ信号を増幅する増幅回路２０と、増幅回路２０の出力端子に直列に接続された出力抵抗Ｒ１及びカップリングコンデンサＣ１と、テレビジョンモニタ等の外部装置を接続するためのビデオ信号出力端子とを有している。
【００１５】
半導体集積回路１０は、各種の制御を行う制御手段としてのＣＰＵ１１と、ＣＰＵ１１に動作を行わせるためのソフトウェア（制御プログラム）を格納するプログラムＲＯＭ１２と、外部回路１から供給されるディジタルビデオ信号に対してＣＰＵ１１の制御の下でディジタル信号処理を施すエンコーダ回路１３と、エンコーダ回路１３から出力されるディジタルビデオ信号をアナログビデオ信号に変換するＤＡＣ（ディジタル／アナログ変換回路）１４と、増幅回路２０から出力抵抗Ｒ１を介して出力されるアナログビデオ信号を入力してディジタルビデオ信号に変換するＡＤＣ（アナログ／ディジタル変換回路）１５とを内蔵している。
【００１６】
外部回路１は、光ディスクやハードディスク等の記録媒体の記録／再生処理回路、及び／又は、メモリを含んでいる。例えば、外部から入力されるディジタルビデオ信号が記録媒体又はメモリに一旦格納され、その後、格納されたディジタルビデオ信号が読み出されて処理される。あるいは、既に画像情報が記録されている光ディスクから、ディジタルビデオ信号が読み出されて処理される。なお、本実施形態においては、ディジタルビデオ信号のビット長を１０ビットとしている。
【００１７】
読み出されたディジタルビデオ信号は、エンコーダ回路１３に入力される。エンコーダ回路１３は、基準となるクロック信号に同期して、水平同期や垂直同期等の各種のタイミング信号を生成すると共に、入力されたビデオ信号に対してズーム処理、色の変換処理、又は、色のフォーマット変換処理等を施して出力する。外部回路２は、機器に内蔵されている液晶表示パネルを駆動するための液晶駆動回路を含んでおり、この液晶駆動回路は、エンコーダ回路１３から出力されるディジタルビデオ信号に基づいて、液晶表示パネルに画像を表示する。
【００１８】
また、エンコーダ回路１３から出力されるディジタルビデオ信号は、ＤＡＣ１４に入力され、ＤＡＣ１４によってアナログビデオ信号に変換される。ＤＡＣ１４は、電流出力型のＤ／Ａ変換回路であり、ディジタルビデオ信号をアナログビデオ信号に変換して、ビデオ信号のレベルに応じた電流を出力し、変換抵抗Ｒ０によって出力電流が電圧に変換される。あるいは、ＤＡＣ１４として電圧出力型のＤ／Ａ変換回路を用いても良く、その場合には、変換抵抗Ｒ０が不要となる。増幅回路２０は、ＤＡＣ１４から出力されるビデオ信号を増幅及びインピーダンス変換するためのものであり、その増幅率はＤＡＣ１４の出力レベルに応じて設定される。従って、増幅率が「１」となったり、あるいは、「１」より小さくなる場合もある。
【００１９】
図１において、負荷となるテレビジョンモニタ等の外部装置の入力インピーダンスが負荷抵抗Ｒ２として示されている。一般に、ビデオ信号伝送用ケーブルの特性インピーダンスは７５Ωであるので、インピーダンスマッチングを図るために、出力抵抗Ｒ１と負荷抵抗Ｒ２の値も７５Ωとなっている。あるいは、増幅回路２０の出力インピーダンスが無視できない大きさである場合には、増幅回路２０の出力インピーダンスの値と出力抵抗Ｒ１の値との和が７５Ωとなるように、出力抵抗Ｒ１の値が設定される。これにより、負荷抵抗Ｒ２が接続されているときのビデオ信号出力端子におけるビデオ信号の出力レベルは、負荷抵抗Ｒ２が接続されていないときの半分となる。
【００２０】
そこで、本実施形態においては、負荷抵抗Ｒ２を通過したアナログビデオ信号を再度ディジタルビデオ信号に変換するＡＤＣ１５を設け、ＡＤＣ１５から出力されるビデオ信号のレベルに基づいて、ＣＰＵ１１が、ビデオ信号出力端子に外部装置が接続されているか否かを判定し、ビデオ信号出力端子に外部装置が接続されていない場合に、少なくともＤＡＣ１４及び増幅回路２０の動作を停止させて消費電力を削減するようにしている。
【００２１】
図１においては、増幅回路２０から出力されるビデオ信号が、出力抵抗Ｒ１のみを介してＡＤＣ１５に入力されているが、出力抵抗Ｒ１及びカップリングコンデンサＣ１を介してＡＤＣ１５に入力されるようにしても良いし、さらに、出力抵抗Ｒ１とカップリングコンデンサＣ１との位置を逆にしても良い。ただし、その場合には、ＡＤＣ１５に入力されるビデオ信号の直流レベルが負荷によって変動するので、ＡＤＣ１５の入力にカップリングコンデンサを設けると共に、カップリングコンデンサを通過したビデオ信号にバイアス電圧を印加する必要がある。
【００２２】
ビデオ信号出力端子に外部装置が接続されているか否かを検出する出力状態検出動作は、機器の実使用時における所定の期間において行われ、例えば、機器の電源投入時にパワーオンリセット信号に基づいて行われる。あるいは、電源投入後のビデオ信号出力停止時において、外部装置からビデオ信号出力端子にノイズが印加された際に、出力状態検出動作が行われる。ビデオ信号出力端子に外部装置が接続される前においては、当該機器のアース電位と外部装置のアース電位とは異なっているので、ビデオ信号出力端子に外部装置が接続されるとビデオ信号出力端子にノイズ電圧が発生する。そこで、ＡＤＣ１５が、ビデオ信号出力端子から出力抵抗Ｒ１に印加されるノイズ電圧をディジタル信号に変換してＣＰＵ１１に出力することにより、ＣＰＵ１１が、出力状態検出動作を開始する。
【００２３】
次に、本発明の第１の実施形態に係るビデオ信号出力制御回路の出力状態検出動作について、図１及び図２を参照しながら説明する。図２は、図１に示すビデオ信号出力制御回路の出力状態検出動作を示すフローチャートである。以下においては、出力状態検出動作が電源投入時と電源投入後のビデオ信号出力停止時との両方において行われる場合について説明する。
【００２４】
ステップＳ１において、機器の電源が投入されると、ＣＰＵ１１が、パワーオンリセット信号に基づいて各部の初期化を行う。これにより、エンコーダ回路１３、ＤＡＣ１４、増幅回路２０、及び、ＡＤＣ１５が動作を開始する。
【００２５】
電源投入後の所定の期間において、ビデオ信号をエンコーダ回路１３に供給するように、ＣＰＵ１１が外部回路１を制御する（ステップＳ２）。外部回路１から出力されるディジタルビデオ信号は、エンコーダ回路１３に入力される。ビデオ信号としては、特に限定されないが、予め記録媒体又はプログラムＲＯＭ１２に格納されている１００％ホワイト信号やその他のテスト信号を用いることが望ましい。以下においては、ビデオ信号として１００％ホワイト信号が用いられる場合について説明する。
【００２６】
あるいは、外部回路１がビデオ信号をエンコーダ回路１３に供給する替わりに、エンコーダ回路１３が、測定用のビデオ信号を生成するようにしても良い。その場合には、電源投入後の所定の期間において、ＣＰＵ１１が、測定用のビデオ信号を出力するようにエンコーダ回路１３を制御する。
【００２７】
ステップＳ３において、エンコーダ回路１３が、ディジタルビデオ信号を出力し、ＤＡＣ１４が、エンコーダ回路１３から出力されるディジタルビデオ信号をアナログビデオ信号に変換し、増幅回路２０が、ＤＡＣ１４から出力されるアナログビデオ信号を増幅し、出力抵抗Ｒ１を介してビデオ信号出力端子に供給する。出力抵抗Ｒ１を通過したアナログビデオ信号は、ＡＤＣ１５によってディジタルビデオ信号に変換され、ＣＰＵ１１に入力される。
【００２８】
ステップＳ４において、ＣＰＵ１１が、ＡＤＣ１５から出力されるディジタルビデオ信号のレベルに基づいて、ビデオ信号出力端子に外部装置が接続されているか否かを判定する。判定に用いられるしきい値は、記録媒体又はプログラムＲＯＭ１２等に予め格納されている。
【００２９】
ビデオ信号出力端子が終端されていない状態においては、１００％ホワイト信号のレベルは２ＶＰ−Ｐであるが、ビデオ信号出力端子が７５Ωの負荷抵抗Ｒ２によって終端されている状態においては、１００％ホワイト信号のレベルが１ＶＰ−Ｐとなる。そこで、例えば、しきい値として１．５ＶＰ−Ｐを設定しておき、ＡＤＣ１５から出力されるディジタルビデオ信号のレベルをしきい値と比較することにより、ビデオ信号出力端子に外部装置が接続されているか否かを判定することができる。
【００３０】
上記においては、ビデオ信号のピーク・トゥ・ピーク値を用いたが、エンコーダ回路１３から出力されるタイミング信号に基づいて、ＣＰＵ１１が、ＡＤＣ１５から出力されるビデオ信号の水平同期位置を認識して、水平同期レベルとそのしきい値とを比較しても良いし、ビデオ信号の１００％白レベル領域の位置を認識して、１００％白レベルとそのしきい値とを比較しても良い。
【００３１】
ＣＰＵ１１は、ビデオ信号出力端子に外部装置が接続されていると判定した場合には、エンコーダ回路１３、ＤＡＣ１４、及び、増幅回路２０の動作を継続させたまま、出力状態検出動作を終了する。なお、ＡＤＣ１５の動作は継続させても良いし、停止させても良い。ＡＤＣ１５の動作を継続させる場合には、通常のビデオ信号が出力されている際に、外部装置がビデオ信号出力端子から外されたことを検出することができる。一方、ＡＤＣ１５の動作を停止させる場合には、省電力化を図ることができる。
【００３２】
ビデオ信号出力端子に外部装置が接続されていないと判定された場合には、ステップＳ５において、ＣＰＵ１１が、少なくともＤＡＣ１４及び増幅回路２０の動作を停止させる。ここでは、ＡＤＣ１５の動作は継続させるものとするが、ＡＤＣ１５の動作を停止させても良い。その場合には、外部装置を接続する際に、機器の電源を再投入する等してリセットを行う必要がある。
【００３３】
ステップＳ６において、ＣＰＵ１１が、ビデオ信号出力端子の電圧が所定値以上変化したか否かを判定する。ビデオ信号出力端子に外部装置が接続されると、両者のアース電位の差により、ビデオ信号出力端子にノイズ電圧が発生する。そこで、ＡＤＣ１５が、このノイズ電圧をディジタル信号に変換してＣＰＵ１１に出力することにより、ＣＰＵ１１が、ビデオ信号出力端子に外部装置が接続された可能性を認識することができる。ＣＰＵ１１は、ビデオ信号出力端子の電圧が所定値以上変化したと判定した場合に、処理をステップＳ３に移行させて、出力状態検出動作を再び開始する。一方、ＣＰＵ１１は、ビデオ信号出力端子の電圧が所定値以上変化していないと判定した場合に、ステップＳ６の動作を繰り返す。
【００３４】
次に、本発明の第２の実施形態について、図３を参照しながら説明する。
図３は、本発明の第２の実施形態に係るビデオ信号出力制御回路を含む構成を示す図である。第２の実施形態に係るビデオ信号出力制御回路は、図１に示すＡＤＣ１５の替わりに比較回路１６を設けたものであり、その他の点に関しては、図１に示す第１の実施形態と同様である。
【００３５】
比較回路１６は、差動増幅器（オペアンプ）１６１と抵抗１６２及び１６３とを含んでおり、増幅回路２０から出力されるビデオ信号の電圧と出力抵抗Ｒ１を通過したビデオ信号の電圧とを比較する。ここで、抵抗１６２及び１６３によってオペアンプ１６１に正帰還をかけることにより、シュミットトリガ動作を実現している。
【００３６】
増幅回路２０の出力インピーダンスが無視できるほど小さいとすると、ビデオ信号出力端子が７５Ωの負荷抵抗Ｒ２によって終端されている状態において、増幅回路２０からノードＡに出力される１００％ホワイト信号のレベルは２ＶＰ−Ｐであるが、出力抵抗Ｒ１を通過したノードＢにおける１００％ホワイト信号のレベルは１ＶＰ−Ｐとなる。そこで、比較回路１６が、ノードＡにおけるビデオ信号の電圧とノードＢにおけるビデオ信号の電圧とを比較することにより、ＣＰＵ１１が、ビデオ信号出力端子に外部装置が接続されているか否かを判定することができる。
【００３７】
例えば、ＣＰＵ１１は、エンコーダ回路１３から出力されるタイミング信号に基づいて、ＡＤＣ１５から出力されるビデオ信号の水平同期位置を認識して、ノードＡにおける水平同期レベルとノードＢにおける水平同期レベルとを比較しても良い。ビデオ信号出力端子が負荷抵抗Ｒ２によって終端されていても、カップリングコンデンサＣ１の働きによってノードＡとノードＢとにおける波形の重心の電圧は同じである。従って、ビデオ信号出力端子が負荷抵抗Ｒ２によって終端されていると、ノードＢにおける水平同期レベルがノードＡにおける水平同期レベルよりも所定の値だけ上昇し、比較回路１６の出力信号はローレベルとなる。これにより、ＣＰＵ１１は、ビデオ信号出力端子に外部装置が接続されていることを判定することができる。
【００３８】
あるいは、ＣＰＵ１１は、エンコーダ回路１３から出力されるタイミング信号に基づいて、ＡＤＣ１５から出力されるビデオ信号の１００％白レベル領域の位置を認識して、ノードＡにおける１００％白レベルとノードＢにおける１００％白レベルとを比較しても良い。ビデオ信号出力端子が負荷抵抗Ｒ２によって終端されていると、ノードＢにおける１００％白レベルがノードＡにおける１００％白レベルよりも所定の値だけ下降し、比較回路１６の出力信号はハイレベルとなる。これにより、ＣＰＵ１１は、ビデオ信号出力端子に外部装置が接続されていることを判定することができる。
【００３９】
また、電源投入後のビデオ信号出力停止時において、ビデオ信号出力端子に外部装置が接続されると、ビデオ信号出力端子にノイズ電圧が発生する。そこで、比較回路１６が、ビデオ信号出力端子から出力抵抗Ｒ１に印加されるノイズ電圧（ノードＢ）と、出力抵抗Ｒ１を通過したノイズ電圧（ノードＡ）とを比較することにより、ノイズ電圧が正から負に変化し、又は、負から正に変化する際に、比較結果が反転する。ＣＰＵ１１は、比較回路１６の比較結果が変化したと判定した場合に、出力状態検出動作を再び開始する。
【００４０】
また、第２の実施形態において、図４に示すように、出力抵抗Ｒ１とカップリングコンデンサＣ１との接続位置を逆にして、増幅回路２０及びカップリングコンデンサＣ１を通過したビデオ信号の電圧と出力抵抗Ｒ１を通過したビデオ信号の電圧とを比較するようにしても良い。ただし、その場合には、比較回路１６に入力されるビデオ信号の直流レベルが負荷によって変動するので、比較回路１６の２つの入力端子の前にカップリングコンデンサ１６４及び１６５をそれぞれ設けると共に、バイアス回路１６６によって、カップリングコンデンサ１６４及び１６５を通過したビデオ信号にバイアス電圧を印加する必要がある。
【図面の簡単な説明】
【００４１】
【図１】本発明の第１の実施形態に係るビデオ信号出力制御回路を含む構成を示す図。
【図２】図１に示すビデオ信号出力制御回路の出力状態検出動作を示すフロー図。
【図３】本発明の第２の実施形態に係るビデオ信号出力制御回路を含む構成を示す図。
【図４】本発明の第２の実施形態に係るビデオ信号出力制御回路の変形例を示す図。
【符号の説明】
【００４２】
１、２  外部回路、  １０  半導体集積回路、  １１  ＣＰＵ、  １２  プログラムＲＯＭ、  １３  エンコーダ回路、  １４  ＤＡＣ、  １５  ＡＤＣ、  １６  比較回路、  ２０  増幅回路、  １６１  差動増幅器、  １６２、１６３  抵抗、  １６４、１６５  カップリングコンデンサ、  １６６  バイアス回路、  Ｒ０  変換抵抗、  Ｒ１  出力抵抗、  Ｒ２  負荷抵抗、  Ｃ１  カップリングコンデンサ
【図１】
2008118503.tif 000003
【図２】
2008118503.tif 000004
【図３】
2008118503.tif 000005
【図４】
2008118503.tif 000006